(57)【特許請求の範囲】
【請求項１】
吸い込んだ室内空気を調和し、調和空気を吹き出す室内機本体と、
該室内機本体に着脱自在に設置された部材と、
前記吹き出される調和空気の状態を制御する本体制御部と、
該本体制御部との間で双方向通信可能な遠隔制御部と、
意匠パネルが前記室内機本体の所定の位置に装着されていることを確認する意匠パネル着脱確認センサーと、
エアーフィルターがエアーフィルター清掃装置の所定の位置に装着されていることを確認するエアーフィルター着脱確認センサーと、
ダストボックスが、前記エアーフィルター清掃装置または前記室内機本体の所定の位置に装着されていることを確認するダストボックス着脱確認センサーと、
を有し、
前記遠隔制御部は、所定のメニューまたは所定の映像を表示するインターフェイス表示部と、該インターフェイス表示部に表示されたメニューを選択するメニュー選択釦と、を具備し、
意匠パネルが前記室内機本体の前面に着脱自在に設置され、
前記吸い込んだ室内空気に含まれた塵埃を除去するエアーフィルターが、前記室内機本体内に移動自在に設置され、
前記エアーフィルターが装着され、前記エアーフィルターに付着した塵埃を除去するエアーフィルター清掃装置が、前記意匠パネルの背面寄りに設置され、
前記エアーフィルター清掃装置によって除去された塵埃を貯蔵するダストボックスが、前記エアーフィルター清掃装置または前記室内機本体に着脱自在に設置され、
前記遠隔制御部は、
（Ａ）前記メニュー選択釦の操作によって前記インターフェイス表示部に表示されたメニューの中からエアーフィルターの取り外しアシストが選択された際、前記インターフェイス表示部に前記意匠パネルを取り外す要領を表示し、
（Ｂ）前記インターフェイス表示部に前記意匠パネルを取り外す要領が表示されている間に、前記意匠パネル着脱確認センサーが前記意匠パネルが所定の位置に装着されていることを確認しなかったとき、前記意匠パネルが取り外された旨を前記遠隔制御部に送信し、前記遠隔制御部は前記インターフェイス表示部に前記ダストボックスを取り外す要領を表示し、
（Ｃ）前記インターフェイス表示部に前記ダストボックスを取り外す要領が表示されている間に、前記ダストボックス着脱確認センサーが前記ダストボックスが所定の位置に装着されていることを確認しなかったとき、前記ダストボックスが取り外された旨を前記遠隔制御部に送信し、前記遠隔制御部は前記インターフェイス表示部に前記エアーフィルターを取り外す要領を表示し、
（Ｄ）前記インターフェイス表示部に前記エアーフィルターを取り外す要領が表示されている間に、前記エアーフィルター着脱確認センサーが前記エアーフィルターが所定の位置に装着されていることを確認しなかったとき、前記エアーフィルターが取り外された旨を前記遠隔制御部に送信し、前記遠隔制御部は前記インターフェイス表示部に前記エアーフィルターの取り外しが完了した旨表示する
ことを特徴とする空気調和機の室内機。
【請求項２】
前記遠隔制御部は、
（Ｅ）前記メニュー選択釦の操作によって前記インターフェイス表示部に表示されたメニューの中からエアーフィルターの取り付けアシストが選択された際、前記インターフェイス表示部に前記エアーフィルターを取り付ける要領を表示し、
（Ｆ）前記インターフェイス表示部に前記エアーフィルターを取り付ける要領が表示されている間に、前記エアーフィルター着脱確認センサーが前記エアーフィルターが所定の位置に装着されていることを確認したとき、前記エアーフィルターが取り付けられた旨を前記遠隔制御部に送信し、前記遠隔制御部は前記インターフェイス表示部に前記ダストボックスの取り付け要領を表示し、
（Ｇ）前記インターフェイス表示部に前記ダストボックスの取り付け要領が表示されている間に、前記ダストボックス着脱確認センサーが前記ダストボックスが所定の位置に装着されていることを確認したとき、前記ダストボックスが取り付けられた旨を前記遠隔制御部に送信し、前記遠隔制御部は前記インターフェイス表示部に前記意匠パネルを取り付ける要領を表示し、
（Ｈ）前記インターフェイス表示部に前記意匠パネルを取り付ける要領が表示されている間に、前記意匠パネル着脱確認センサーが前記意匠パネルが所定の位置に装着されていることを確認したとき、前記意匠パネルが取り付けられた旨を前記遠隔制御部に送信し、前記遠隔制御部は前記インターフェイス表示部に前記エアーフィルターの取り付けが完了した旨表示することを特徴とする請求項１記載の空気調和機の室内機。
【請求項３】
前記メニュー選択釦の操作によって前記インターフェイス表示部に表示されたメニューの中からエアーフィルターの取り外しアシストが選択された際、前記遠隔制御部は、前記本体制御部にエアーフィルターの取り外しアシストが選択された旨送信し、前記本体制御部は、前記室内機本体に設置された本体報知部において、当該エアーフィルターが取り外し中であることを報知し、
前記インターフェイス表示部に前記エアーフィルターを取り外す手順が完了した旨表示された際、前記本体制御部は、前記室内機本体に設置された本体報知部において、当該エアーフィルターの取り外しが終了したことを報知し、
前記遠隔制御部は、前記メニュー選択釦の操作によって前記インターフェイス表示部に表示されたメニューの中からエアーフィルターの取り付けアシストが選択された際、前記本体制御部にエアーフィルターの取り付けアシストが選択された旨送信し、前記本体制御部は、前記室内機本体に設置された本体報知部において、当該エアーフィルターが取り付け中であることを報知し、
前記インターフェイス表示部に前記意匠パネルを取り付ける手順が完了した旨表示された後、前記本体制御部は、前記室内機本体に設置された本体報知部において、当該エアーフィルターの取り付けが終了したことを報知することを特徴とする請求項１または２記載の空気調和機の室内機。
【請求項４】
前記意匠パネルの設置位置を示す点灯または点滅自在な意匠パネル設置位置マークが前記室内機本体に設けられ、
前記エアーフィルターの装着位置を示す点灯または点滅自在なエアーフィルター装着位置マークが前記エアーフィルター清掃装置に設けられ、
前記ダストボックスの設置位置を示す点灯または点滅自在なダストボックス設置位置マークが前記エアーフィルター清掃装置または前記室内機本体に設けられ、
前記遠隔制御部は、前記インターフェイス表示部に前記意匠パネルを取り外す要領を表示する際、前記本体制御部に前記意匠パネルを取り外す旨送信し、前記本体制御部は前記意匠パネル設置位置マークを点灯または点滅させ、
前記遠隔制御部は、本体制御部に前記ダストボックスを取り外す旨送信し、前記本体制御部は前記ダストボックス設置位置マークを点灯または点滅させ、
前記遠隔制御部は、前記インターフェイス表示部に前記エアーフィルターを取り外す要領を表示する際、前記本体制御部に前記エアーフィルターを取り外す旨送信し、前記本体制御部は前記エアーフィルター装着位置マークを点灯または点滅させ、
前記遠隔制御部は、前記インターフェイス表示部に前記エアーフィルターを取り付ける要領を表示する際、前記本体制御部に前記エアーフィルターを取り付ける旨送信し、前記本体制御部は前記エアーフィルター装着位置マークを点灯または点滅させ、
前記遠隔制御部は、前記インターフェイス表示部に前記ダストボックスを取り付ける要領を表示する際、前記本体制御部に前記ダストボックスを取り付ける旨送信し、前記本体制御部は前記ダストボックス設置位置マークを点灯または点滅させ、
前記遠隔制御部は、前記インターフェイス表示部に前記意匠パネルを取り付ける要領を表示する際、前記本体制御部に前記意匠パネルを取り付ける旨送信し、前記本体制御部は前記意匠パネル設置位置マークを点灯または点滅させることを特徴とする請求項２又は請求項２に従属する請求項３に記載の空気調和機の室内機。
【請求項５】
前記本体制御部は、前記エアーフィルターの取り外し時期が到来したことを判断し、前記遠隔制御部に対して、前記エアーフィルターの取り外し時期が到来したことを送信し、
前記遠隔制御部は、前記インターフェイス表示部にエアーフィルターの取り外し時期が到来したことを表示することを特徴とする請求項１〜４の何れか一項に記載の空気調和機の室内機。
【請求項６】
前記エアーフィルターに付着した塵埃を除去するエアーフィルター清掃装置と、
該エアーフィルター清掃装置によって除去された塵埃を貯蔵するダストボックスと、
を有し、
前記本体制御部は、前記ダストボックスの取り外し時期が到来したことを判断し、前記遠隔制御部に対して、前記ダストボックスの取り外し時期が到来したことを送信し、前記遠隔制御部は、前記インターフェイス表示部にダストボックスの取り外し時期が到来したことを表示することを特徴とする請求項１〜４の何れか一項に記載の空気調和機の室内機。
【発明の詳細な説明】
【技術分野】
【０００１】
本発明は空気調和機の室内機、特に、インターフェイス表示部が設けられたリモコン（本発明において「遠隔制御部」と称している）を有する空気調和機の室内機に関する。
【背景技術】
【０００２】
従来、吸込空気に含まれていた塵埃を捕捉するエアーフィルターに付着した塵埃を、自動的に除去する清掃装置（本発明において「エアーフィルター清掃装置」と称している）を装備した空気調和機の室内機が開示されている（例えば、特許文献１参照）。
【先行技術文献】
【特許文献】
【０００３】
【特許文献１】特開２００５−１８８８０８号公報（第３−５頁、第５図）
【発明の概要】
【発明が解決しようとする課題】
【０００４】
特許文献１に開示された空気調和機の室内機は、運転時間の集計等によってエアーフィルターに付着した塵埃量を推定し、該推定に基づいてエアーフィルターを自動的に清掃し、除去した塵埃をダストボックスに貯蔵するものである。このため、ユーザーはエアーフィルターを清掃する作業から解放され、利便性が向上すると共に、清掃をしなかった際に生じる騒音の発生や消費電力の上昇を回避することが可能になっている。
しかしながら、ダストボックスが塵埃で一杯になった場合や、エアーフィルターにエアーフィルター清掃装置では除去し難い油汚れ等が付着した場合には、ダストボックスやエアーフィルターを室内機本体から一旦取り外す必要がある。
【０００５】
このとき、以下のような問題があった。
（あ）ユーザーが定期的にエアーフィルターを清掃する機会がなくなったため、エアーフィルターの室内機本体への装着構造を知る機会がなく、いざ、エアーフィルターを取り外そうとしてもその要領が分からない。
（い）特に、エアーフィルター清掃装置を搭載しない形式の室内機に慣れたユーザーにとって、エアーフィルター清掃装置の複雑な部品構成に対する知識はない（少ない）ことから、また、ダストボックスは馴染みのない部材であることから、余計に当惑する。
（う）さらに、エアーフィルターやダストボックスの取り外し／取り付け要領については、「取扱い説明書（ＩＢ）」に詳細に記載されているものの、エアーフィルターやダストボックスを取り外そうとするのは、通常、当該空気調和機を設置（購入）してから数年後であるため、取扱い説明書（ＩＢ）が見当たらないケースが多々ある（取扱説明書を読もうとしないユーザーや、設置（購入）と同時に取扱い説明書を破棄するユーザーさえいる）。
（え）そのため、例えば、どの部位が動く部位（ロックしている）であるとか、どの部位が取り外せる部位であるとか、あるいは、どの部材から順番に取り外せばよいのかが分からないため、本来動かない部位を動かそうとしたり、本来取り外せない部材を取り外そうとしたり、あるいは、後に取り外すべき部材を先に取り外そうとして、結局取り外すことができない場合があった。
（お）また、一旦取り外すことはできたものの、元通りに取り付けることができない場合もあった。
（か）さらに、取り外し方／取り付け方が分からないため、結果的に掃除メンテナンスを実施しないまま、ダストボックスが粉塵等のゴミで一杯になったままの状態になることがある。そうすると、カビや細菌の繁殖元となって室内空間に異臭を放つ原因となったり、あふれたゴミが室内機の熱交換器等に溜まり、風量低下を起こし、性能ダウン、電気代のムダが生じる要因となっていた。
【０００６】
本発明は、上記のような問題を解決するためになされたもので、ユーザーが取扱い説明書に頼ることなく、エアーフィルターやダストボックス等の部材の取り外し／取り付けを容易かつ安心して実行することができる空気調和機の室内機を得るものである。
【課題を解決するための手段】
【０００７】
本発明に係る空気調和機の室内機は、吸い込んだ室内空気を調和し、調和空気を吹き出す室内機本体と、該室内機本体に着脱自在に設置された部材と、前記吹き出される調和空気の状態を制御する本体制御部と、該本体制御部との間で双方向通信可能な遠隔制御部と、意匠パネルが前記室内機本体の所定の位置に装着されていることを確認する意匠パネル着脱確認センサーと、エアーフィルターがエアーフィルター清掃装置の所定の位置に装着されていることを確認するエアーフィルター着脱確認センサーと、ダストボックスが、前記エアーフィルター清掃装置または前記室内機本体の所定の位置に装着されていることを確認するダストボックス着脱確認センサーと、を有し、前記遠隔制御部は、所定のメニューまたは所定の映像を表示するインターフェイス表示部と、該インターフェイス表示部に表示されたメニューを選択するメニュー選択釦と、を具備し、意匠パネルが前記室内機本体の前面に着脱自在に設置され、前記吸い込んだ室内空気に含まれた塵埃を除去するエアーフィルターが、前記室内機本体内に移動自在に設置され、前記エアーフィルターが装着され、前記エアーフィルターに付着した塵埃を除去するエアーフィルター清掃装置が、前記意匠パネルの背面寄りに設置され、前記エアーフィルター清掃装置によって除去された塵埃を貯蔵するダストボックスが、前記エアーフィルター清掃装置または前記室内機本体に着脱自在に設置され、前記遠隔制御部は、（Ａ）前記メニュー選択釦の操作によって前記インターフェイス表示部に表示されたメニューの中からエアーフィルターの取り外しアシストが選択された際、前記インターフェイス表示部に前記意匠パネルを取り外す要領を表示し、（Ｂ）前記インターフェイス表示部に前記意匠パネルを取り外す要領が表示されている間に、前記意匠パネル着脱確認センサーが前記意匠パネルが所定の位置に装着されていることを確認しなかったとき、前記意匠パネルが取り外された旨を前記遠隔制御部に送信し、前記遠隔制御部は前記インターフェイス表示部に前記ダストボックスを取り外す要領を表示し、（Ｃ）前記インターフェイス表示部に前記ダストボックスを取り外す要領が表示されている間に、前記ダストボックス着脱確認センサーが前記ダストボックスが所定の位置に装着されていることを確認しなかったとき、前記ダストボックスが取り外された旨を前記遠隔制御部に送信し、前記遠隔制御部は前記インターフェイス表示部に前記エアーフィルターを取り外す要領を表示し、（Ｄ）前記インターフェイス表示部に前記エアーフィルターを取り外す要領が表示されている間に、前記エアーフィルター着脱確認センサーが前記エアーフィルターが所定の位置に装着されていることを確認しなかったとき、前記エアーフィルターが取り外された旨を前記遠隔制御部に送信し、前記遠隔制御部は前記インターフェイス表示部に前記エアーフィルターの取り外しが完了した旨表示することを特徴とする。
【発明の効果】
【０００８】
本発明に係る空気調和機の室内機は、遠隔制御部（リモコンに同じ）に設けられたインターフェイス表示部に、部材を取り外す要領や部材を取り付ける要領が手順毎に順次表示されるから、ユーザーは、取扱い説明書に頼ることなく、エアーフィルターやダストボックス等の部材の取り外し／取り付けを容易かつ安心して実行することができる。
なお、インターフェイス表示部に表示される映像は、文字や画像（静止画または動画）である。また、表示される映像に対応したデータベースは、遠隔制御部が保有しても、あるいは、本体制御部が保有して遠隔制御部に送信してもよい。
また、部材の取り外しとは、室内機から完全に離れた状態（撤去した状態）にすることに限定するものではなく、設置されていた状態が変動すること、例えば、一部を支点にして回動したり、案内手段に沿って移動したりすることを含む。したがって、部材の取り付けとは、変動した状態から、当初の設置されていた状態に戻すことを意味している。
【図面の簡単な説明】
【０００９】
【図１】本発明の実施の形態１に係る空気調和機の室内機を示す側面視の断面図。
【図２】図１に示す室内機の一部（エアーフィルターおよびエアーフィルター清掃装置）を抜き出して示す斜視図。
【図３】図１に示す室内機の一部（エアーフィルターおよびエアーフィルター清掃装置）を抜き出して示す斜視図。
【図４】図１に示す室内機の一部（エアーフィルター案内装置およびエアーフィルター清掃装置）を抜き出して示す斜視図。
【図５】図１に示す室内機の一部（エアーフィルター案内装置およびエアーフィルター清掃装置）を抜き出して示す斜視図。
【図６】図４に示す室内機の一部（エアーフィルター案内装置）を抜き出して示す斜視図。
【図７】図１に示す室内機の一部（リモコン）を示す正面図。
【図８】図７に示すリモコンの表示部に表示されたメニューを示す正面図。
【図９】図７に示すリモコンの表示部に表示された取り外しアシストガイダンスを示す正面図。
【図１０】図７に示すリモコンの表示部に表示された取り付けアシストガイダンスを示す正面図。
【図１１】図７に示すリモコンの表示部の表示バリエーションを示す正面図。
【発明を実施するための形態】
【００１０】
［実施の形態１］
図１〜図１１は本発明の実施の形態１に係る空気調和機の室内機を説明するものであって、図１は空気調和機の室内機の全体を示す側面視の断面図、図２および図３は一部（エアーフィルターおよびエアーフィルター清掃装置）を抜き出して示す斜視図、図４および図５は一部（エアーフィルター案内装置およびエアーフィルター清掃装置）を抜き出して示す斜視図、 図６は一部（エアーフィルター案内装置）を抜き出して示す斜視図、図７は一部（リモコン）を示す正面図、図８は表示部に表示されたメニューを示す正面図、図９は表示部に表示された取り外しアシストガイダンスを示す正面図、図１０は表示部に表示された取り付けアシストガイダンスを示す正面図、図１１は表示部の表示バリエーションを示す正面図である。
なお、各図は模式的に描かれたものであって、本発明は描かれた形態に限定するものではない。
【００１１】
（空気調和機の室内機）
図１および図２において、空気調和機の室内機（以下、単に「室内機」と称す場合がある）１００は、筐体からなる室内機本体１０と、室内機本体１０内に設置され、空気を吸い込むと共に吸い込んだ空気（正確には、調和空気）を吹き出す送風ファン２０と、送風ファン２０が形成する風路内に配置され、吸い込んだ空気を調和する熱交換器３０と、吸引した空気に含まれる塵埃を捕捉するエアーフィルター４０と、エアーフィルター４０を進退（移動）させるエアーフィルター進退装置５０と、エアーフィルター４０の上下面を反転させるエアーフィルター案内装置６０と、エアーフィルター４０に付着した塵埃を除去するエアーフィルター清掃装置７０と、を有している。
また、送風ファン２０および熱交換器３０等の機器を制御する本体制御部（図示しない）と、本体制御部（正確には、本体制御部に接続された送受信部（図示しない））との間で双方向通信可能な遠隔制御部（以下、「リモコン」と称す）８０と、を有している。
なお、エアーフィルター４０とは、左右にそれぞれ配置された左側エアーフィルター４０Ｌと右側エアーフィルター４０Ｒを指し、両者の間に両者を進退させる共通のエアーフィルター進退駆動モーター箱５１が配置されている。なお、本発明はかかる形態に限定するものではなく、エアーフィルター４０それぞれを進退させる独立した（別個の）エアーフィルター進退駆動モーター箱５１が配置されてもよい。また、エアーフィルター４０は左右対に限定するものではない。
【００１２】
（室内機本体）
室内機本体１０は、両端面（図示しない）が塞がれた筐体であって、天面（図１において上側、室内機本体の上範囲に同じ）が開口し、該開口部が空気を吸い込む吸込口１１が形成され、底面（図１において下側）の一部および前面（図１において左側の底面寄りの範囲、室内機本体の下範囲に同じ）が開口し、吸込口１１から吸い込んだ空気を吹き出す吹出口１２が形成されている。そして、前面（図１において左側）は開口し、該開口部を開閉する意匠パネル１３が設置されている。なお、後面（図１において右側）は塞がれている。
【００１３】
（送風ファン）
送風ファン２０は、側面視において、室内機本体１０の吸込口１１と吹出口１２との間に設置され、吸込口１１から吹出口１２に至る風流れを形成するものである。送風ファン２０と吹出口１２との間の吹出側風路１９は、風路前面板１４と風路後面板１５とに略挟まれた空間で、吹出側風路１９には調和空気の左右方向の吹出方向を制御する左右方向風向板（図示しない）が設置されている。また、吹出口１２には、調和空気の上下方向の吹出方向を制御する上下方向風向板１６、１７が設置されている。
【００１４】
（熱交換器）
熱交換器３０は、吸い込まれた空気を調和（冷却、加熱、除湿等）するものであって、前面側で下部寄りに配置された第１熱交換器３１と、前面側の上部から天面にかけて配置された第２熱交換器３２と、天面から後面側の上部にかけて配置された第３熱交換器３３とから構成され、これらは吸込口１１と送風ファン２０との間（送風ファン２０の上流側に同じ）で、送風ファン２０を取り囲むように側面視において略Λ（ラムダ）状に配置されている。
また、第１熱交換器３１および第３熱交換器３３の下方には、それぞれから滴下したドレンを補足するドレンパン３４およびドレンパン３５が設けられている。
なお、本発明において、調和された空気を「調和空気」と称している。また、熱交換器３０の構成や、配置の形態は、図示された形態に限定されるものではない。
【００１５】
（エアーフィルター）
図１において、エアーフィルター４０は、室内機本体１０の吸込口１１と熱交換器３０との間、すなわち、熱交換器３０の上流側で、吸込口１１の全面を覆うように進出され（引き出され）、また、エアーフィルター進退装置５０によって、吸込口１１から退避するように移動する（例えば、巻き取られる）ものであって、正面視で左側に配置された左側エアーフィルター４０Ｌと、正面視で右側に配置された右側エアーフィルター４０Ｒとの一方または両方を示している。
以下の説明において、左側エアーフィルター４０Ｌと右側エアーフィルター４０Ｒとは、同様の形態であるため、共通する内容については名称の「左側、右側」あるいは符号の添え字「Ｌ、Ｒ」の記載を省略する。また、正面視で左右に配置されたその他の部材についても、共通する内容については名称の「左側、右側」あるいは符号の添え字「Ｌ、Ｒ」の記載を省略する。
【００１６】
図２において、エアーフィルター４０は、室内機本体１０の左右に（エアーフィルター進退装置５０のエアーフィルター進退駆動モーター箱５１を挟んで）一対配置されている。また、エアーフィルター４０は、左右方向よりも前後方向（奥行き）が長い略方形の形状を持ち、エアーフィルター通気体（網状体）４１と、エアーフィルター通気体４１が設置された略格子状のエアーフィルター枠体４２とから構成されている。
そして、エアーフィルター枠体４２のうち前後方向に並行な部分の一方の面に、等間隔の凹凸パターンであるエアーフィルター従動歯４３が形成されている。また、エアーフィルター枠体４２は柔軟性のある材料で成形され、成形時は平板状で形成されるが、空気調和機の室内機１００に搭載されると柔軟性があるため、側面視において、略Ｊ字状に湾曲した形状や、略螺旋状に巻き取り可能な形状にすることができる。
【００１７】
（エアーフィルター進退装置）
図３において、エアーフィルター進退装置５０は、室内機本体１０の前面上寄り（上下方向の略中央ないし上部寄りで天面に近い位置）に設置され、エアーフィルター４０のエアーフィルター従動歯４３に噛み合うエアーフィルター駆動歯車５３と、エアーフィルター駆動歯車５３が固定されたエアーフィルター駆動軸５２と、エアーフィルター駆動軸５２を回転駆動する図示しない駆動モーターを収納するエアーフィルター進退駆動モーター箱５１とを、有している。そして、エアーフィルター進退駆動モーター箱５１は室内機本体１０の前面寄りで、左右方向の略中央に設置されている。
また、エアーフィルター駆動軸５２の一方の端部はエアーフィルター進退駆動モーター箱５１に設けられた図示しない軸受に回転自在に支持され、エアーフィルター駆動軸５２の他方の端部は室内機本体１０に設けられた図示しない軸受に回転自在に支持されている。
【００１８】
（エアーフィルター案内装置）
図４〜図６において、エアーフィルター案内装置６０は、エアーフィルター４０が風路内に進出した際に、風路の上流側になっていた面を、エアーフィルター４０が風路から退避した際に、下側になるようにエアーフィルター４０を案内するもの（進出時に下側になっていた面を、退避時には、上側になるように案内するもの）である。
エアーフィルター案内装置６０は、側面視において略直線状範囲６１ａおよび略円弧状範囲６１ｂを有する略Ｊ字状の案内上板６１と、案内上板６１の略円弧状範囲６１ｂの前端から下方に延設された案内前側板６２と、略円弧状範囲６１ｂの後端から下方に延設された案内後側板６３と、案内上板６１の略円弧状範囲６１ｂと案内前側板６２と案内後側板６３とに設置され、案内上板６１の略円弧状範囲６１ｂの端部を覆う一対の案内端板６４と、から形成される下方の面が開口した箱状である。
そして、一対の案内端板６４には、エアーフィルター清掃装置７０を形成する表面清掃ブラシ揺動軸７３の両端をそれぞれ揺動自在（所定の回転角の間で正転と逆転を繰り返す）に支持する表面清掃ブラシ軸受６５と、ダストボックス（集塵室に同じ）７４の装着用突起７５が侵入自在な装着用孔６８と、が設けられている。
【００１９】
また、側面視で略Ｊ字状の案内上板６１の最下点に相当する位置には、所定幅の貫通溝である塵埃通過孔６６が形成され、案内上板６１の下面で塵埃通過孔６６の長手方向（室内機本体１０の左右方向に同じ）の側縁に沿ってまたは側縁に平行に（側縁から所定距離だけ離れて）、下方に向かって突出する略波状の掻き落とし突起６７ａ、６７ｂ（以下、それぞれ又は両者を「掻き落とし突起６７」と称す場合がある）が設置されている。
そして、エアーフィルター案内装置６０は、室内機本体１０に設置された際、案内上板６１の上面が、エアーフィルター進退装置５０のエアーフィルター駆動歯車５３に対向し、両者の間には所定の間隔が形成される。すなわち、エアーフィルター４０の一方の面が案内上板６１に当接し、他方の面に形成されたエアーフィルター従動歯４３にエアーフィルター駆動歯車５３が噛み合っている。
【００２０】
（エアーフィルター清掃装置）
図７において、エアーフィルター清掃装置７０は、エアーフィルター案内装置６０によって案内されてエアーフィルター４０の下側になっている面に当接自在な表面清掃ブラシ７２と、上側になっている面に当接自在な裏面清掃ブラシ７１と、エアーフィルター４０から除去された塵埃を貯蔵するダストボックス７４と、を有している。なお、裏面清掃ブラシ７１の設置を省略してもよい。
【００２１】
（ダストボックス）
ダストボックス７４は上面が解放された箱体であって、表面清掃ブラシ７２の下方（エアーフィルター案内装置６０の案内上板６１の下方に同じ）に配置され、上端部が、エアーフィルター案内装置６０の案内前側板６２、案内後側板６３および一対の案内端板６４に密接している。
このとき、ダストボックス７４の設置された左右方向に突出した装着用突起７５は、案内端板６４に形成された装着用孔６８に侵入しているから、ダストボックス７４がエアーフィルター案内装置６０から脱落することがない。
したがって、ダストボックス７４は、案内前側板６２、案内後側板６３および一対の案内端板６４を介して、エアーフィルター案内装置６０の案内上板６１の略円弧状範囲６１ｂによって、蓋がされた状態になるから、ダストボックス７４に落下した塵埃が周囲に飛散することはない。
【００２２】
（清掃ブラシ）
表面清掃ブラシ７２は表面清掃ブラシ揺動軸７３に設置され（植え込まれ）、表面清掃ブラシ揺動軸７３は、エアーフィルター案内装置６０の案内上板６１（正確には、略円弧状範囲６１ｂ）の下方に配置された表面清掃ブラシ軸受６５に回動自在に支持されている。このとき、表面清掃ブラシ７２は表面清掃ブラシ揺動軸７３の円周方向で略１５°の範囲に植え込まれているが、本発明はその範囲を限定するものではなく、略９０°以下の範囲に植め込むのが望ましい。
そして、表面清掃ブラシ揺動軸７３は、案内上板６１の略円弧状範囲６１ｂの最下線（正確には塵埃通過孔６６が形成されているため、仮想最下線）と平行になっている。
さらに、表面清掃ブラシ揺動軸７３には揺動手段（図示しない）が連結され、所定の角度範囲（例えば、鉛直線に対して前後方向にそれぞれ９０°）揺動する。
また、裏面清掃ブラシ７１はエアーフィルター案内装置６０の案内上板６１の上方に配置され、先端が下方を向いた姿勢で室内機本体１０に固定されている。
【００２３】
したがって、エアーフィルター４０が略円弧状範囲６１ｂに摺動しながら進退する際、表面清掃ブラシ７２の先端はエアーフィルター４０の一方の面に当接し前後方向に揺動し、裏面清掃ブラシ７１の先端はエアーフィルター４０の他方の面に当接して摺動することになる。
そうすると、エアーフィルター４０に捕捉された塵埃は表面清掃ブラシ７２および裏面清掃ブラシ７１によって除去され、塵埃通過孔６６を通過してダストボックス７４に落下する。また、表面清掃ブラシ７２に付着したままの塵埃は掻き落とし突起６７によって表面清掃ブラシ７２から掻き落とされてダストボックス７４に落下する。
【００２４】
（リモコン）
図７において、リモコン８０は、本体制御部との間で双方向通信可能であって、その手段は、赤外線による双方向通信、あるいは無線による双方向通信のどちらでもよい。また、３軸の加速度センサーを搭載してもよい（これについては別途詳細に説明する）。
リモコン８０は、リモコン本体８１の表面に配置された、所定のメニューまたは所定の映像を表示するインターフェイス表示部（以下、「表示部」と称す）８２と、表示部８２に表示された映像を操作するセレクトボタン８３と、運転の開始／停止を指示する運転入／切釦８４と、運転モードを選択するモード選択釦８５とを、有している。
表示部８２は、例えば、フルドット（２５５＊１６０）の液晶ディスプレーによって構成され、後記する文字や画像（静止画または動画）を表示する。なお、かかる文字や画像のデータは、リモコン８０内の記憶部に予め記憶しておいても、あるいは、本体制御部内の記憶部に記憶しておき、リモコン８０に適宜送信するようにしてもよい。
【００２５】
セレクトボタン８３は、それぞれ円環状に略等角配置された、プラス釦（カーソル上行き釦に同じ）８３ａと、メニュー釦８３ｂと、マイナス釦（カーソル下行き釦に同じ）８３ｃと、戻り釦８３ｄと、かかる円環の中央に配置された決定釦８３ｅと、を具備する。かかる各釦の使用方法については別途詳細に説明する。
運転入／切釦８４は、空気調和機の運転の開始や停止を指示するものであって、押すことによって、切り（ＯＦＦ）から入り（ＯＮ）に、あるいは入り（ＯＮ）から切り（ＯＦＦ）に切り替えることができる。
モード選択釦８５は、暖房モードを選択する暖房選択釦８５ａと、除湿モードを選択する除湿選択釦８５ｂと、冷房モードを選択する冷房選択釦８５ｃと、を具備している。
【００２６】
（表示部の表示）
図７において、運転入／切釦８４を押して入り（ＯＮ）にすると、表示部８２には、先に切り（ＯＦＦ）を押された際に表示していた内容が表示される。図７の場合、設定温度２７．５°、設定湿度５０％の冷房運転をしている時に、空気調和機が停止したことを示し、かかる条件で運転が再開されることを示している。そして、運転入／切釦８４を押して切り（ＯＦＦ）にすると、表示部８２の表示は消える。
【００２７】
（メニュー表示）
図８において、運転入／切釦８４が切り（ＯＦＦ）の状態で、メニュー釦８３ｂが押されると、表示部８２に複数（図８においては１〜６番目）のメニューが表示される（図８の（ａ）参照）。
そこで、マイナス釦８３ｃが押されると、最上段に表示されたカーソルは下方に移動し、カーソルが最下段に到達した後、さらにマイナス釦８３ｃが押されると、新たなメニュー（７番目のメニュー）が最下段に表示され、今まで表示されていた複数のメニューは一段上に移動して、最上段に表示されていたメニュー（１番目のメニュー）が消える。一方、プラス釦８３ａを押すとマイナス釦８３ｃを押したときとは反対に、カーソルは上に移動したり、最上段に新たなメニューが表示される。
また、メニュー釦８３ｂをもう一度押すことによって、先に表示されていた６件（１〜６番目）のメニューの次に用意されている６件（７〜１２番目）のメニューを表示することもできる（図８の（ｂ）参照）。
【００２８】
したがって、マイナス釦８３ｃあるいはプラス釦８３ａを押すことによって、所望のメニュー（例えば、９番目の「掃除アシスト」）にカーソルを合わせることができる（図８の（ｃ）参照）。そこで、決定釦８３ｅ（またはマイナス釦８３ｃ）が押されると、当該メニューの内訳である「取り外しアシスト」および「取り付けアシスト」が表示され、これを説明する内容が表示される（図８の（ｄ）参照）。
なお、メニューの中身は限定するものではなく、「取り外しアシスト」および「取り付けアシスト」に追加して、「部材毎の取り外しアシスト（例えば、ダストボックス取り外しアシスト等）」や「部材毎の取り付けアシスト（例えば、エアーフィルター取り付けアシスト等）」を設けてもよい。
さらに、決定釦８３ｅ（またはマイナス釦８３ｃ）が押されると、当該メニューの内容の詳細（例えば、作業の手順毎の内容等）が逐次表示される（これについては別途詳細に説明する）。
【００２９】
なお、カーソルとは、文字通り所定のマークに限定するものではなく、特定のメニューを示す文字や画像（静止画または動画）、文字や画像の縁取り部、あるいは文字や画像の背景（表示枠）の色彩、明度、濃淡、太さや面積、書体や形態等を変化させて、それ以外のメニューと差別するものであればよい。このとき、かかる変化のさせ方は、点灯状態（静的）でも点滅状態（動的）であってもよい。
なお、本発明の「メニュー選択釦」は、プラス釦８３ａ、マイナス釦８３ｃおよび決定釦８３ｅによって形成されるものであるが、かかる機械的なプラス釦８３ａおよびマイナス釦８３ｃに替えて、所定時間（数秒）が経過するたびに、カーソルが一定方向に移動するようにしてもよい。
【００３０】
（掃除アシスト：取り外しアシスト）
次に、メニューの中から「掃除アシスト」および「取り外しアシスト」が選択された場合を例に、本発明を説明する。
図９の（ａ）において、前述のようにプラス釦８３ａ、マイナス釦８３ｃおよび決定釦８３ｅによって「掃除アシスト」および「取り外しアシスト」が順次選択され（図８の（ｄ））、決定釦８３ｅ（またはマイナス釦８３ｃ）が押されると、これから順次表示する作業が「掃除アシスト」であることが確認的に表示される。図９の（ａ）は、室内機１００の全体を模式的に図示しているが、これからの作業の概略が分かるように、意匠パネル１３と、ダストボックス７４と、エアーフィルター４０とを、色分けして図示したり（一部透視図にして）、取り外す順番を「１番目：意匠パネル、２番目：ダストボックス、３番目：エアーフィルター」のように文字表示してもよい。なお、決定釦８３ｅ（またはマイナス釦８３ｃ）は本発明における「映像切替釦」に相当している。
【００３１】
図９の（ｂ）において、決定釦８３ｅ（またはマイナス釦８３ｃ）が押されると、まず、１番目の作業が「意匠パネルの取り外し」であることが文字と画像とによって表示される。
図９の（ｃ）において、さらに決定釦８３ｅ（またはマイナス釦８３ｃ）が押されると、「意匠パネルの取り外し作業」が、文字と画像とによってガイダンスされる。このとき、意匠パネル１３または作業者（ユーザー）の手の動きを動画または複数の静止画によって表示してもよいし、作業のポイントになる「指をかける位置」を色分けあるいは明度を変えて（含む点滅）表示してもよい。
なお、本発明において、「意匠パネルの取り外し」とは、意匠パネル１３を室内機本体１０から完全に離れた状態（撤去した状態）にすることに限定するものではなく、一部を支点にして回動させ、意匠パネル１３が開口部を解放することを含んでいる。
【００３２】
図９の（ｄ）において、意匠パネル１３を取り外したところで、決定釦８３ｅ（またはマイナス釦８３ｃ）が押されると、２番目の作業が「ダストボックスの取り外し」であることが文字と画像とによって表示される。
図９の（ｅ）において、さらに決定釦８３ｅ（またはマイナス釦８３ｃ）が押されると、「ダストボックスの取り外し作業（右側）」が、文字と画像とによってガイダンスされる。このとき、右側ダストボックス７４Ｒまたは作業者（ユーザー）の手の動きを動画または複数の静止画によって表示してもよいし、作業のポイントになる「ストッパーの位置」を色分けあるいは明度を変えて（含む点滅）表示してもよい。
さらに、右側ダストボックス７４Ｒを取り外したところで、さらに決定釦８３ｅ（またはマイナス釦８３ｃ）が押されると、同様に、「ダストボックスの取り外し作業（左側）」が、文字と画像とによってガイダンスされる（図示しない）。なお、「ダストボックスの取り外し作業（右側）」または「ダストボックスの取り外し作業（左側）」の何れも先に表示してもよい。
【００３３】
図９の（ｆ）において、右側ダストボックス７４Ｒおよび左側ダストボックス７４Ｌを取り外したところで、さらに決定釦８３ｅ（またはマイナス釦８３ｃ）が押されると、３番目の作業が「エアーフィルターの取り外し」であることが文字と画像とによって表示される（図示しない）。そして、決定釦８３ｅ（またはマイナス釦８３ｃ）が押されると、「エアーフィルターの取り外し作業（左側）」が、文字と画像とによってガイダンスされる。このとき、左側エアーフィルター４０Ｌまたは作業者（ユーザー）の手の動きを動画または複数の静止画によって表示してもよいし、作業のポイントになる部位を色分けあるいは明度を変えて（含む点滅）表示してもよい。
さらに、左側エアーフィルター４０Ｌを取り外したところで、さらに決定釦８３ｅ（またはマイナス釦８３ｃ）が押されると、同様に、「ダストボックスの取り外し作業（右側）」が、文字と画像とによってガイダンスされる（図示しない）。なお、「エアーフィルターの取り外し作業（左側）」または「エアーフィルターの取り外し作業（右側）」の何れを先に表示してもよい。
その後、さらに決定釦８３ｅ（またはマイナス釦８３ｃ）が押されると、「取り外し作業が終了した」旨表示される（図示しない）。
【００３４】
よって、ユーザーは取扱い説明書に頼ることなく、エアーフィルターやダストボックス等の部材の取り外しを容易かつ安心して実行することができる。
なお、以上は、取り外す順番を「１番目：意匠パネル、２番目：ダストボックス、３番目：エアーフィルター」としているが、構造上、ダストボックス７４よりも先に、エアーフィルター４０を取り外すことができる場合には、何れを先に取り外すようにガイダンスしてもよい。
また、いまから表示する作業が何であるかを示す「見出し（図９の（ｂ）や図９の（ｄ）に相当する）」の表示を省略してもよい。
また、メニューに部材毎の取り外し、例えば、「エアーフィルターの取り外しアシスト」や「ダストボックスの取り外し作業（右側）」等が用意された場合に、前者が選択されると、前者の手順が順次表示されるだけであって、後者の手順は表示されない。
なお、以上は、文字と画像とによってガイダンスするものを示しているが、本発明はこれに限定するものではなく、文字に替えて、または文字と共に音声によるガイダンスを実行してもよい。例えば、音声デバイス（ガイダンス内容を読み上げる音声ＩＣとスピーカーとを具備する）をリモコン８０または室内機本体１０に搭載しておき、表示前に一度ガイダンス内容を読み上げたり、表示に並行してガイダンス内容を読み上げたりしてもよい。このとき、文字表示された文言と音声報知される文言とは相違してもよく、さらに、文字表示を省略して画像（静止画または動画）のみを表示してもよい。
【００３５】
（掃除アシスト：取り付けアシスト）
次に、メニューの中から「掃除アシスト」および「取り付けアシスト」が選択された場合を例に、本発明を説明するが、本発明はこれに限定するものではなく、その他の「アシスト」が選択された場合でも、以下に準じて制御されるものである。
前述のようにプラス釦８３ａ、マイナス釦８３ｃおよび決定釦８３ｅが押されると、「掃除アシスト」および「取り付けアシスト」が順次選択され、決定釦８３ｅ（またはマイナス釦８３ｃ）が押されると、これから順次表示する作業が「掃除アシスト」であることが確認的に表示される（図示しない）。
このとき、これからの作業の概略が分かるように、取り付けの対象になる部材を色分けして図示したり（一部透視図にして）、取り付け順番を「１番目：エアーフィルター、２番目：ダストボックス、３番目：意匠パネル」のように文字表示してもよい。
【００３６】
図１０の（ａ）において、決定釦８３ｅ（またはマイナス釦８３ｃ）が押されると、まず、１番目の作業が「エアーフィルターの取り付け（左側）」であることが文字によって表示されると共に、当該作業が、文字と画像とによってガイダンスされる。このとき、エアーフィルター４０または作業者（ユーザー）の手の動きを動画または複数の静止画によって表示してもよいし、作業のポイントになる「文字が書いてある面」を色分けあるいは明度を変えて（含む点滅）表示してもよい。
そして、決定釦８３ｅ（またはマイナス釦８３ｃ）が押されると、同様に「エアーフィルターの取り付け（右側）」が表示され、当該作業が文字と画像とによってガイダンスされる。
【００３７】
図１０の（ｂ）において、エアーフィルター４０を取り付けたところで、決定釦８３ｅ（またはマイナス釦８３ｃ）が押されると、２番目の作業が「ダストボックスの取り付け（右側）」であることが文字によって表示されると共に、当該作業が、文字と画像とによってガイダンスされる。このとき、右側ダストボックス７４Ｒまたは作業者（ユーザー）の手の動きを動画または複数の静止画によって表示してもよいし、作業のポイントになる「ダストボックスの突起部」を色分けあるいは明度を変えて（含む点滅）表示してもよい。
さらに、右側ダストボックス７４Ｒを取り付けたところで、さらに決定釦８３ｅ（またはマイナス釦８３ｃ）が押されると、同様に、「ダストボックスの取り付け作業（左側）」が、文字と画像とによってガイダンスされる（図示しない）。なお、「ダストボックスの取り付け作業（右側）」または「ダストボックスの取り付け作業（左側）」の何れも先に表示してもよい。
【００３８】
図１０の（ｃ）において、右側ダストボックス７４Ｒおよび左側ダストボックス７４Ｌを取り付けたところで、さらに決定釦８３ｅ（またはマイナス釦８３ｃ）が押されると、３番目の作業が「意匠パネルの取り付け」であることが文字と画像とによって表示されると共に、当該作業が、文字と画像とによってガイダンスされる。
このとき、意匠パネル１３または作業者（ユーザー）の手の動きを動画または複数の静止画によって表示してもよいし、作業のポイントになる部位を色分けあるいは明度を変えて（含む点滅）表示してもよい。
その後、さらに決定釦８３ｅ（またはマイナス釦８３ｃ）が押されると、「取り付け作業が終了した」旨表示される（図示しない）。
なお、前記のように「意匠パネルの取り外し」が、意匠パネル１３の一部を支点にして回動させて、開口部を解放する動作である場合、「意匠パネルの取り付け」は、意匠パネル１３の一部を支点にして回動させ、開口部を閉塞する動作になる。
【００３９】
よって、ユーザーは取扱い説明書に頼ることなく、エアーフィルターやダストボックス等の部材の取り付けを容易かつ安心して実行することができる。
なお、以上は、取り付ける順番を「１番目：エアーフィルター、２番目：ダストボックス、３番目：意匠パネル」としているが、構造上、エアーフィルター４０よりも先に、ダストボックス７４を取り付けることができる場合には、何れを先に取り付けるようにガイダンスしてもよい。
また、いまから表示する作業が何であるかを示す「見出し（図９の（ｂ）や図９の（ｄ）に相当する）」の表示を追加してもよい。
また、メニューに部材毎の取り付け、例えば、「ダストボックスの取り付けアシスト」や「エアーフィルターの取り付け作業（右側）」が用意された場合に、前者が選択されると、後者の内容は表示されない。
なお、以上は、文字と画像とによってガイダンスするものを示しているが、本発明はこれに限定するものではなく、文字に替えて、または文字と共に音声によるガイダンスを実行してもよい。
【００４０】
（リモコン：加速度センサー）
図１１において、リモコン８０に３軸の加速度センサーを搭載した場合の、表示例を示している。すなわち、リモコン８０の姿勢に応じて表示部８２に表示された文字または画像の向きの表示切替が可能となっている。例えば、ガイダンスに用いた画像（図９の（ｄ）を拡大して見たいときは、例えば、リモコン８０を水平方向に傾けることによって拡大図（図１１）に切り替わるようにしてもよいし、リモコン８０を左右方向に振ることによって拡大図が表示されるようにしてもよい。
【００４１】
（本体報知部）
室内機１００には、図示しない本体表示部が設けられ、前記メニューの中から「取り外しアシスト」が選択された際（図８の（ｄ））、リモコン８０は本体制御部に「取り外しアシスト」が選択された旨送信し、本体報知部において「取り外し作業中」であることを報知し、表示部８２に「取り外し作業が終了した」旨表示された際、本体報知部において「取り外し作業終了」が報知される。このとき、本体報知部の報知要領は限定するものではなく、所定のＬＥＤが点灯または点滅するものでも、所定の文字が表示されるもの、あるいは音声であってもよい。
また、同様に、メニューの中から「取り付けアシスト」が選択された際、本体報知部においてその旨が報知され、表示部８２に「取り付け作業が終了した」旨表示された際、本体報知部にその旨が表示される。
よって、ユーザーは、作業の開始および終了を、リモコン８０の表示部８２と共に、本体報知部によっても知ることができる。なお、本体報知部の設置を省略してもよい。
さらに、以上は、エアーフィルター４０やダストボックス７４を取り外し／取り付ける場合を例にして説明しているが、本発明はこれに限定するものではなく、その他の部材を取り付け／取り外す場合には、当該部材を取り外し／取り付けるメニューを設けると共に、当該作業の手順を順次ガイダンスする映像を用意しておけばよい。
【００４２】
［実施の形態２］
実施の形態２に示す空気調和機の室内機（以下、単に「室内機２００」と称す場合がある）は、実施の形態１において説明した室内機本体１０に、以下に説明する位置を示す「位置マーク」を設けたものであって、これを除く構成は室内機１００に同じであるから、実施の形態１と同じ部分または相当する部分には同じ符号を付し、一部の説明を省略する。
すなわち、意匠パネル１３の設置位置（正確には、意匠パネル１３の端面に突出した軸を回動自在に支持する「意匠パネル軸支持部（図示しない）」を示す意匠パネル設置位置マーク（図示しない）が設けられている。かかる意匠パネル設置位置マークは、点灯または点滅自在なＬＥＤによって形成されている（以下、「意匠パネルＬＥＤ」と称す）。
また、エアーフィルター４０の装着位置（正確には、エアーフィルター４０を引き出し／挿入する際の引出口／挿入口となる、エアーフィルター案内装置６０の略円弧状範囲６１ｂの先端）を示すエアーフィルター装着位置マーク（図示しない）が、エアーフィルター案内装置６０に設けられている。かかるエアーフィルター装着位置マークは、点灯または点滅自在なＬＥＤによって形成されている（以下、「エアーフィルターＬＥＤ」と称す）。
さらに、ダストボックス７４の設置位置（正確には、エアーフィルター案内装置６０の装着用孔６８）を示すダストボックス設置位置マークが設けられている。かかるダストボックス設置位置マークは点灯または点滅自在なＬＥＤによって形成されている（以下、「ダストボックスＬＥＤ」と称す）。
以下、メニューの中から「掃除アシスト」および「取り外しアシスト」が選択された場合を例に、本発明を説明するが、本発明はこれに限定するものではなく、その他の「アシスト」が選択された場合でも、以下に準じて制御されるものである。
【００４３】
（意匠パネルＬＥＤの点灯または点滅）
表示部８２に「意匠パネルの取り外し作業」または「意匠パネルの取り付け作業」が表示されているとき（図９の（ｃ）、図１０の（ｃ）参照）、リモコン８０は、その旨を本体制御部に送信し、本体制御部は、意匠パネルＬＥＤを点灯または点滅させる。
したがって、作業者（ユーザー）は、どの部材についてどの部位に注意を集中して作業すればよいのか容易に知ることができるから、作業を安心して実行することができる。なお、意匠パネルＬＥＤは１カ所に限定するものではなく、複数カ所にして、それぞれ手順に従って順次点灯または点滅するようにして、より詳細に手順を追ってガイダンスするようにしてもよい。
【００４４】
（ダストボックスＬＥＤの点灯または点滅）
表示部８２に「ダストボックスの取り外し作業」または「ダストボックスの取り付け作業」が表示されているとき（図９の（ｅ）、図１０の（ｂ）参照）、リモコン８０は、その旨を本体制御部に送信し、本体制御部は、ダストボックスＬＥＤを点灯または点滅させる。
したがって、作業者（ユーザー）は、どの部材についてどの部位に注意を集中して作業すればよいのか容易に知ることができるから、作業を安心して実行することができる。なお、ダストボックスＬＥＤは１カ所に限定するものではなく、複数カ所にして、より詳細に手順を追ってガイダンスするようにしてもよい。
【００４５】
（エアーフィルターＬＥＤの点灯または点滅）
表示部８２に「エアーフィルターの取り外し作業」または「エアーフィルターの取り付け作業」が表示されているとき（図９の（ｆ）、図１０の（ａ）参照）、リモコン８０は、その旨を本体制御部に送信し、本体制御部は、エアーフィルターＬＥＤを点灯または点滅させる。
したがって、作業者（ユーザー）は、どの部材についてどの部位に注意を集中して作業すればよいのか容易に知ることができるから、作業を安心して実行することができる。なお、エアーフィルターＬＥＤは１カ所に限定するものではなく、複数カ所にして、より詳細に手順を追ってガイダンスするようにしてもよい。
【００４６】
以上は、エアーフィルター４０やダストボックス７４を取り外し／取り付ける場合を例にして説明しているが、本発明はこれに限定するものではなく、その他の部材を取り付け／取り外す場合には、当該部材を取り外し／取り付けるメニューを設けると共に、当該部材の設置位置を示すマーク（ＬＥＤ）を設置すればよい。
【００４７】
［実施の形態３］
実施の形態３に示す空気調和機の室内機（以下、単に「室内機３００」と称す場合がある）は、実施の形態１において説明した室内機本体１０に、部材の着脱を確認する「着脱確認センサー」を設けたものであって、これを除く構成は室内機１００に同じであるから、実施の形態１と同じ部分または相当する部分には同じ符号を付し、一部の説明を省略する。
すなわち、意匠パネル１３が室内機本体１０の所定の位置に装着されていることを確認する意匠パネル着脱確認センサーが設置されている。意匠パネル着脱確認センサーは、 意匠パネル１３の端面に突出した軸が、室内機本体１０に形成された軸受に回動自在に挿入されたことを確認するものであって、接触式または非接触式のスイッチ（抵抗変化、透磁率変化または誘電率変化を検知する）である（図示しない、以下、「意匠パネルＳＷ」と称す）。
また、エアーフィルター４０がエアーフィルター案内装置６０の所定の位置に装着されていることを確認するエアーフィルター着脱確認センサーが、エアーフィルター案内装置６０に設置されている。エアーフィルター着脱確認センサーの形式は意匠パネルＳＷと同様に限定するものではない（図示しない、以下、「エアーフィルターＳＷ」と称す）。
さらに、ダストボックス７４の装着用突起７５が、案内端板６４に形成された装着用孔６８に侵入していることを確認するダストボックス着脱確認センサーが、エアーフィルター案内装置６０に設置されている。ダストボックス着脱確認センサーの形式は意匠パネルＳＷと同様に限定するものではない（図示しない、以下、「ダストボックスＳＷ」と称す）。
【００４８】
（表示部の表示：取り外しガイド）
実施の形態３に示す室内機３００において、表示部８２に「意匠パネル取り外しガイド」が表示されている間（図９の（ｃ））に、意匠パネル１３が所定の位置に装着されていることを意匠パネルＳＷが確認しなかったとき、本体制御部は意匠パネル１３が取り外されたと判断し、その旨をリモコン８０に送信する。そうすると、リモコン８０は、決定釦８３ｅまたはマイナス釦８３ｃの操作に替えて（押されなくても）、表示部８２に「ダストボックスを取り外す」旨表示する（図９の（ｄ））。
【００４９】
また、表示部８２に「ダストボックス取り外しガイド（右側）」が表示されている間に、右側ダストボックス７４Ｒが所定の位置に装着されていることを右側ダストボックスＳＷが確認しなかったとき、本体制御部は右側ダストボックス７４Ｒが取り外されたと判断し、その旨をリモコン８０に送信する。そうすると、リモコン８０は、決定釦８３ｅまたはマイナス釦８３ｃの操作に替えて（押されなくても）、表示部８２に「ダストボックス取り外しガイド（左側）」を表示する。
さらに、表示部８２に「ダストボックス取り外しガイド（左側）」が表示されている間に、左側ダストボックス７４Ｌが所定の位置に装着されていることを左側ダストボックスＳＷが確認しなかったとき、本体制御部は左側ダストボックス７４Ｌが取り外されたと判断し、その旨をリモコン８０に送信する。そうすると、リモコン８０は、決定釦８３ｅまたはマイナス釦８３ｃの操作に替えて（押されなくても）、表示部８２に「エアーフィルター取り外しガイド（左側）」を表示する（図９の（ｆ））。
【００５０】
さらに、表示部８２に「エアーフィルター取り外しガイド（左側）」が表示されている間に（図９の（ｄ））、左側エアーフィルター４０Ｌが所定の位置に装着されていることを左側エアーフィルターＳＷが確認しなかったとき、本体制御部は左側エアーフィルター４０Ｌが取り外されたと判断し、その旨をリモコン８０に送信する。そうすると、リモコン８０は、決定釦８３ｅまたはマイナス釦８３ｃの操作に替えて（押されなくても）、表示部８２に「エアーフィルター取り外しガイド（右側）」を表示する。
さらに、表示部８２に「エアーフィルター取り外しガイド（右側）」が表示されている間に、右側エアーフィルター４０Ｒが所定の位置に装着されていることを右側エアーフィルターＳＷが確認しなかったとき、本体制御部は右側エアーフィルター４０Ｒが取り外されたと判断し、その旨をリモコン８０に送信する。そうすると、リモコン８０は、決定釦８３ｅまたはマイナス釦８３ｃの操作に替えて（押されなくても）、表示部８２に「取り外しアシスト」が終了した旨を表示する（図示しない）。
【００５１】
よって、作業者（ユーザー）は、取り外し作業が、各手順毎に確実に完了していることを知ることができると共に、リモコン８０の決定釦８３ｅ（またはマイナス釦８３ｃ）の操作をすることなく、次に実行する作業がガイダンスされる。したがって、取り外し作業を進めるにあたって、釦操作が簡素になると共に、作業の進捗に対する安心感が増す。
また、実施の形態２に示された意匠パネルＬＥＤ等を装備しておけば、取り外し作業はさらに簡素かつ、確実になる。
なお、左側ダストボックス７４Ｌまたは右側ダストボックス７４Ｒ、あるいは左側エアーフィルター４０Ｌまたは右側エアーフィルター４０Ｒの、何れを先に取り外してもよい。
【００５２】
（表示部の表示：取り付けガイド）  
表示部８２に「エアーフィルター取り付けガイド（右側）」が表示されている間に、右側エアーフィルター４０Ｒが所定の位置に装着されていることを右側エアーフィルターＳＷが確認したとき、本体制御部は右側エアーフィルター４０Ｒが取り付けられたと判断し、その旨をリモコン８０に送信する。そうすると、リモコン８０は、決定釦８３ｅまたはマイナス釦８３ｃの操作に替えて（押されなくても）、表示部８２に「エアーフィルター取り外しガイド（左側）」を表示する。
さらに、表示部８２に「エアーフィルター取り付けガイド（左側）」が表示されている間に、左側エアーフィルター４０Ｌが所定の位置に装着されていることを左側エアーフィルターＳＷが確認したとき、本体制御部は左側エアーフィルター４０Ｌが取り付けられたと判断し、その旨をリモコン８０に送信する。そうすると、リモコン８０は、決定釦８３ｅまたはマイナス釦８３ｃの操作に替えて（押されなくても）、表示部８２に「ダストボックス取り付けガイド（左側）」を表示する。
【００５３】
そして、表示部８２に「ダストボックス取り付けガイド（左側）」が表示されている間に、左側ダストボックス７４Ｌが所定の位置に装着されていることを左側ダストボックスＳＷが確認したとき、本体制御部は左側ダストボックス７４Ｌが取り付けられたと判断し、その旨をリモコン８０に送信する。そうすると、リモコン８０は、決定釦８３ｅまたはマイナス釦８３ｃの操作に替えて（押されなくても）、表示部８２に「ダストボックス取り付けガイド（右側）」を表示する（図１０の（ｂ））。
さらに、表示部８２に「ダストボックス取り付けガイド（右側）」が表示されている間に、右側ダストボックス７４Ｒが所定の位置に装着されていることを右側ダストボックスＳＷが確認したとき、本体制御部は右側ダストボックス７４Ｒが取り付けられたと判断し、その旨をリモコン８０に送信する。そうすると、リモコン８０は、決定釦８３ｅまたはマイナス釦８３ｃの操作に替えて（押されなくても）、表示部８２に「意匠パネル取り付けガイド」を表示する（図１０の（ｃ））。
【００５４】
さらに、表示部８２に「意匠パネル取り付けガイド」が表示されている間に、意匠パネル１３が所定の位置に装着されていることを意匠パネルＳＷが確認したとき、本体制御部は意匠パネル１３が取り付けられたと判断し、その旨をリモコン８０に送信する。そうすると、リモコン８０は、決定釦８３ｅまたはマイナス釦８３ｃの操作に替えて（押されなくても）、表示部８２に「取り外しアシスト」が終了した旨表示する（図示しない）。
【００５５】
よって、作業者（ユーザー）は、前記取り外し作業と同様に、取り付け作業についても、各手順毎に確実に作業が完了していることを知ることができると共に、リモコン８０の釦操作をすることなく、次に実行する作業がガイダンスされる。したがって、取り付け作業が簡素になり、作業の進捗に対する安心感が増す。
また、実施の形態２に示された意匠パネルＬＥＤ等を装備しておけば、取り付け作業はさらに簡素かつ、確実になる。
なお、左側ダストボックス７４Ｌまたは右側ダストボックス７４Ｒ、あるいは左側エアーフィルター４０Ｌまたは右側エアーフィルター４０Ｒの、何れを先に取り付けてもよい。
なお、前記のように「意匠パネルの取り外し」が、意匠パネル１３の一部を支点にして回動させて、開口部を解放する動作である場合、「意匠パネルの取り付け」は、意匠パネル１３の一部を支点にして回動させ、開口部を閉塞する動作になる。
以上は、エアーフィルター４０やダストボックス７４を取り外し／取り付ける場合を例にして説明しているが、本発明はこれに限定するものではなく、その他の部材を取り外し／取り付ける場合には、当該部材を取り外し／取り付けるメニューを設けると共に、当該部材が所定の位置に装着されていることを確認する部材着脱確認センサーを設置すればよい。
【００５６】
［その他の実施の形態］
以上（実施の形態１〜３）は、表示部８２に表示されたメニューの中から、「掃除アシスト」を選択した場合であるが、本発明はこれに限定するもではない。
例えば、室内機１００〜３００の本体制御部に、エアーフィルターを清掃すべき時期が到来したことを判断する機能を付与し、かかる判断がリモコン８０に送信された際、表示部８２に「そろそろエアーフィルターのお手入れをして下さい」が表示されると共に、「掃除アシスト（エアーフィルターの取り外し／取り付けであって、ダストボックスの取り外し／取り付けを含まない）」が自動的に選択されるようにしてもよい。
また、本体制御部に、ダストボックスが略満杯であることを判断する機能を付与し、かかる判断がリモコン８０に送信された際、表示部８２に「そろそろダストボックスのお手入れをして下さい」が表示されると共に、「掃除アシスト（ダストボックスの取り外し／取り付けであって、エアーフィルターの取り外し／取り付けを含まない）」が自動的に選択されるようにしてもよい。
【産業上の利用可能性】
【００５７】
本発明によれば、ユーザーが取扱い説明書に頼ることなく、部材の取り外し／取り付けを容易かつ安心して実行することができるから、各種空気調和機の室内機はもとより、双方向通信機能を具備するリモコンを有する各種機器として広く利用することができる。
【符号の説明】
【００５８】
１０：室内機本体、１１：吸込口、１２：吹出口、１３：意匠パネル、１４：風路前面板、１５：風路後面板、１６：上下方向風向板、１７：上下方向風向板、１９：吹出側風路、２０：送風ファン、３０：熱交換器、３１：第１熱交換器、３２：第２熱交換器、３３：第３熱交換器、３４：ドレンパン、３５：ドレンパン、４０：エアーフィルター、４０Ｌ：左側エアーフィルター、４０Ｒ：右側エアーフィルター、４１：エアーフィルター通気体、４２：エアーフィルター枠体、４３：エアーフィルター従動歯、５０：エアーフィルター進退装置、５１：エアーフィルター進退駆動モーター箱、５２：エアーフィルター駆動軸、５３：エアーフィルター駆動歯車、６０：エアーフィルター案内装置、６１：案内上板、６１ａ：略直線状範囲、６１ｂ：略円弧状範囲、６２：案内前側板、６３：案内後側板、６４：案内端板、６５：表面清掃ブラシ軸受、６６：塵埃通過孔、６７ａ：掻き落とし突起、６７ｂ：掻き落とし突起、６８：装着用孔、７０：エアーフィルター清掃装置、７１：裏面清掃ブラシ、７２：表面清掃ブラシ、７３：表面清掃ブラシ揺動軸、７４Ｌ：左側ダストボックス、７４Ｒ：右側ダストボックス、７５：装着用突起、８０：リモコン、８１：リモコン本体、８２：表示部、８３：セレクトボタン、８３ａ：プラス釦、８３ｂ：メニュー釦、８３ｃ：マイナス釦、８３ｄ：戻り釦、８３ｅ：決定釦、８４：運転入／切釦、８５：モード選択釦、８５ａ：暖房選択釦、８５ｂ：除湿選択釦、８５ｃ：冷房選択釦、１００：室内機（実施の形態１）。
【図１】
0005800496.tif 000002
【図２】
0005800496.tif 000003
【図３】
0005800496.tif 000004
【図４】
0005800496.tif 000005
【図５】
0005800496.tif 000006
【図６】
0005800496.tif 000007
【図７】
0005800496.tif 000008
【図８】
0005800496.tif 000009
【図９】
0005800496.tif 000010
【図１０】
0005800496.tif 000011
【図１１】
0005800496.tif 000012